(57)【要約】【課題】嵌合に当たっては雄端子を雌端子に対して確実に位置合わせし、嵌合解除に当たっては端子変形防止部材を所定の位置に確実に復帰させる。【解決手段】嵌合フード部９を有する雌コネクタ３と、雄コネクタと、仮係止位置及び本係止位置との間を移動可能な端子変形防止部材１１とを備え、端子変形防止部材１１に復元アーム１３を設け、復元アーム１３には復元アーム規制突起１５と復元アームスリット１７とを設け、嵌合フード部９の内壁には、復元アーム規制突起１５を退避させて復元アーム１３の変位を可能にし、復元アーム規制突起１５と係止して端子変形防止部材１１の移動と抜け落ちを防止する仮係止凹部１９を設け、雄コネクタには、復元アーム１３を押圧して復元アーム規制突起１５を仮係止凹部１９に退避させ、復元アーム１３の復元アームスリット１７と係合する復元アーム係止突起を設けた。【選択図】図４
2010097911.tif 000002
【特許請求の範囲】
【請求項１】
雄端子を収容するコネクタ本体と前記雄端子の先端部が突出する嵌合フード部が一体形成された雌コネクタと、
雌端子を収容すると共に、前記嵌合フード部内に挿入可能な雄コネクタと、
前記嵌合フード部の内部で、前記雄端子の先端部を雌端子との中心位置に合わせて支持する仮係止位置と、前記雄端子と雌端子との嵌合が完了する本係止位置との間を移動可能な端子変形防止部材とを備えたコネクタであって、
前記端子変形防止部材には、前記嵌合フード部の内壁側に変位可能な可撓性の復元アームが設けられ、前記復元アームには、復元アーム規制突起と復元アームスリットとが設けられ、
前記嵌合フード部の内壁には、
前記端子変形防止部材が仮係止位置にあるとき、前記復元アーム規制突起を退避させて前記復元アームを変位させると共に、前記復元アーム規制突起と係止して端子変形防止部材の移動及び嵌合フード部からの抜け落ちを防止する仮係止凹部が設けられ、
前記雄コネクタには、前記復元アームを押圧して前記復元アーム規制突起を前記仮係止凹部に退避させると共に、前記復元アームの復元アームスリットと係合する復元アーム係止突起が設けられており、
前記雌端子と前記雄端子とを嵌合させる際は、前記嵌合フード部に挿入された前記雄コネクタが、仮係止位置にある前記端子変形防止部材の復元アームを復元アーム係止突起で押圧し変位させることによって復元アーム規制突起を前記仮係止凹部に係止させ、前記復元アーム係止突起が復元アームスリットと係合し、雌ハウジング（雄端子拾いガイド）または前記雌端子に前記雄端子が挿入（拾われた）された後、雄コネクタが前記端子変形防止部材を押圧して本係止位置まで移動させ、
前記雌端子と前記雄端子との嵌合を解除する際は、前記嵌合フード部の開口側へ移動操作された前記雄コネクタが、前記雌端子と前記雄端子との嵌合を解除しながら、前記復元アーム係止突起により前記復元アームを介して前記端子変形防止部材を本係止位置から仮係止位置まで移動させ、仮係止位置では、前記復元アーム係止突起が復元アーム規制突起を前記仮係止凹部に退避させて復元アームを変位させると共に、前記復元アーム規制突起を仮係止凹部に係止させて端子変形防止部材の嵌合フード部からの抜け落ちを防止することを特徴とするコネクタ。
【請求項２】
請求項１に記載されたコネクタであって、
前記嵌合フード部には、前記雄コネクタによって前記端子変形防止部材が本係止位置から仮係止位置まで戻る間、前記復元アーム規制突起と接触することによって前記復元アームの変位を防止し、前記復元アーム係止突起と復元アームスリットとの係合解除と、この係合解除による端子変形防止部材の中間位置への置き去りを防止する復元アーム変位規制リブが設けられていることを特徴とするコネクタ。
【請求項３】
請求項１または請求項２に記載されたコネクタであって、
前記復元アーム係止突起に、前記仮係止位置にある端子変形防止部材の復元アームと接触することにより、復元アーム規制突起を前記仮係止凹部へ退避させる斜面部が設けられていることを特徴とするコネクタ。
【請求項４】
請求項１〜請求項３のいずれかに記載されたコネクタであって、
前記端子変形防止部材に、ガイドリブが設けられ、
前記雄コネクタに、前記ガイドリブと係合し、仮係止位置と本係止位置との間を移動する間、前記端子変形防止部材を案内し、傾斜を防止するガイド溝が設けられていることを特徴とするコネクタ。
【請求項５】
請求項１〜請求項４のいずれかに記載されたコネクタであって、
前記端子変形防止部材に、係止腕が設けられ、
前記嵌合フード部の、前記端子変形防止部材の仮係止位置と本係止位置とにそれぞれ対応する箇所に、前記係止腕と係止する仮係止部と本係止部が設けられていることを特徴とするコネクタ。
【請求項６】
請求項１〜請求項５のいずれかに記載されたコネクタであって、
前記端子変形防止部材に、被ガイド部が設けられ、
前記嵌合フード部に、前記被ガイド部と摺動し、仮係止位置と本係止位置とを移動する間、前記端子変形防止部材を案内し、傾斜を防止する摺動壁部が設けられていることを特徴とするコネクタ。
【発明の詳細な説明】
【技術分野】
【０００１】
本発明は、車両に用いられ、雄端子と雌端子とを嵌合するコネクタに関する。
【背景技術】
【０００２】
特許文献１に「電気コネクタ」が記載されている。図２２〜図２４に示すように、この電気コネクタはコネクタ２０１とコネクタ２０３から構成されており、雄端子２０５を収容するコネクタ２０１はハウジング２０７と可動部材２０９などを備え、雌端子２１１を収容するコネクタ２０３はハウジング２１３などを備えている。可動部材２０９は、コネクタ２０１とコネクタ２０３との嵌合に当たって、ハウジング２０７内の端子嵌合開始位置に保持され、ピン挿通孔２１５により雄端子２０５のピン２１７の先端部を支持し、雌端子２１１に対する位置合わせをし、雌端子２１１と正常に嵌合させた後、コネクタ２０３に押されてハウジング２０７の奥壁面まで移動する。
【０００３】
可動部材２０９には３本のアーム２１９，２２１，２２３が設けられており、アーム２１９はその先端をハウジング２０７に形成された係止突起２２５に係止することによって、コネクタ２０１，２０３の嵌合を解除する際に、可動部材２０９がハウジング２０７から抜け落ちることを防止し、アーム２２１はその溝２２７をコネクタ２０３のハウジング２１３に設けられた三角形の係止突起２２９に係合することによって、コネクタ２０１，２０３の嵌合を解除する際に、可動部材２０９をハウジング２０７の奥壁面から上記の端子嵌合開始位置まで移動させ、アーム２２３はその溝２３１を、ハウジング２０７に設けられ嵌合と嵌合解除の双方向に傾斜面を有する係止突起２３３に係合することにより、雄端子２０５のピン２１７と雌端子２１１の嵌合を開始する際に、可動部材２０９が上記の端子嵌合開始位置から移動しないように保持する。
【０００４】
アーム２２３の溝２３１と係止突起２３３は、可動部材２０９が端子嵌合開始位置から奥壁面へ移動を開始したときに係合が解除され、可動部材２０９が奥壁面から端子嵌合開始位置へ戻ったときに再度係合する。
【特許文献１】特開平１０−５５８４４号公報
【発明の開示】
【発明が解決しようとする課題】
【０００５】
上記のように、コネクタ２０１とコネクタ２０３（雄端子２０５と雌端子２１１）を嵌合する際は可動部材２０９を端子嵌合開始位置に保持する必要があるが、その保持機能はアーム２２３（溝２３１）と傾斜面を有する係止突起２３３との係合力に頼っているから、この保持機能を強化するために、例えば、係止突起２３３を高くして溝２３１との係合力を大きくすると、コネクタ２０１，２０３を嵌合させるときに必要な力がそれだけ大きくなって作業性が低下し、係止突起２３３を低くして係合力を小さくすると、雄端子２０５と雌端子２１１との正常な嵌合が終了する前に、可動部材２０９が端子嵌合開始位置から奥壁面側に移動する恐れがあり、このような場合は、雄端子２０５（ピン２１７）先端部の位置合わせ機能が低下し、雌端子２１１との干渉によってピン２１７の変形が生じ、正常な嵌合は望めない。
【０００６】
また、可動部材２０９をハウジング２０７の奥壁面から端子嵌合開始位置まで移動させる機能は、コネクタ２０３側の三角形の係止突起２２９とアーム２２１（溝２２７）との係合力が担っているから、例えば、係止突起２２９を高くして溝２２７との係合力を大きくすると、同様に、コネクタ２０１，２０３の嵌合に必要な力がそれだけ大きくなって作業性が低下し、係止突起２２９を低くして係合力を小さくすると、アーム２２１（溝２２７）と係止突起２２９との係合が外れて、可動部材２０９を端子嵌合開始位置へ戻すことができなくなり、コネクタ２０１とコネクタ２０３を再度嵌合させる際に、上記のように、雄端子２０５（ピン２１７）の位置合わせ機能が低下して正常な嵌合は望めない。
【０００７】
また、可動部材２０９の抜け落ち防止用にアーム２１９が設けられ、可動部材２０９を端子嵌合開始位置まで戻すためにアーム２２１が設けられ、可動部材２０９を端子嵌合開始位置に保持するためにアーム２２３が設けられており、このように３本のアーム２１９，２２１，２２３を設けたことによって可動部材２０９だけでなく、コネクタ２０１，２０３の全体が大型化している。
【０００８】
そこで、この発明は、嵌合に当たっては端子変形防止部材によって雄端子を雌端子に対して確実に位置合わせし、嵌合解除に当たっては端子変形防止部材を所定の位置（仮係止位置）に確実に復帰させることができるコネクタの提供を目的としている。
【課題を解決するための手段】
【０００９】
請求項１のコネクタは、雄端子を収容するコネクタ本体と前記雄端子の先端部が突出する嵌合フード部が一体形成された雌コネクタと、雌端子を収容すると共に、前記嵌合フード部内に挿入可能な雄コネクタと、前記嵌合フード部の内部で、前記雄端子の先端部を雌端子との中心位置に合わせて支持する仮係止位置と、前記雄端子と雌端子との嵌合が完了する本係止位置との間を移動可能な端子変形防止部材とを備えたコネクタであって、前記端子変形防止部材には、前記嵌合フード部の内壁側に変位可能な可撓性の復元アームが設けられ、前記復元アームには、復元アーム規制突起と復元アームスリットとが設けられ、前記嵌合フード部の内壁には、前記端子変形防止部材が仮係止位置にあるとき、前記復元アーム規制突起を退避させて前記復元アームを変位させると共に、前記復元アーム規制突起と係止して端子変形防止部材の移動及び嵌合フード部からの抜け落ちを防止する仮係止凹部が設けられ、前記雄コネクタには、前記復元アームを押圧して前記復元アーム規制突起を前記仮係止凹部に退避させると共に、前記復元アームの復元アームスリットと係合する復元アーム係止突起が設けられており、前記雌端子と前記雄端子とを嵌合させる際は、前記嵌合フード部に挿入された前記雄コネクタが、仮係止位置にある前記端子変形防止部材の復元アームを復元アーム係止突起で押圧し変位させることによって復元アーム規制突起を前記仮係止凹部に係止させ、前記復元アーム係止突起が復元アームスリットと係合し、雌ハウジング（雄端子拾いガイド）または前記雌端子に前記雄端子が挿入（拾われた）された後、雄コネクタが前記端子変形防止部材を押圧して本係止位置まで移動させ、前記雌端子と前記雄端子との嵌合を解除する際は、前記嵌合フード部の開口側へ移動操作された前記雄コネクタが、前記雌端子と前記雄端子との嵌合を解除しながら、前記復元アーム係止突起により前記復元アームを介して前記端子変形防止部材を本係止位置から仮係止位置まで移動させ、仮係止位置では、前記復元アーム係止突起が復元アーム規制突起を前記仮係止凹部に退避させて復元アームを変位させると共に、前記復元アーム規制突起を仮係止凹部に係止させて端子変形防止部材の嵌合フード部からの抜け落ちを防止することを特徴とする。
【００１０】
請求項２の発明は、請求項１に記載されたコネクタであって、前記嵌合フード部には、前記雄コネクタによって前記端子変形防止部材が本係止位置から仮係止位置まで戻る間、前記復元アーム規制突起と接触することによって前記復元アームの変位を防止し、前記復元アーム係止突起と復元アームスリットとの係合解除と、この係合解除による端子変形防止部材の中間位置への置き去りを防止する復元アーム変位規制リブが設けられていることを特徴とする。
【００１１】
請求項３の発明は、請求項１または請求項２に記載されたコネクタであって、前記復元アーム係止突起には、前記仮係止位置にある端子変形防止部材の復元アームと接触することにより、復元アーム規制突起を前記仮係止凹部へ退避させ、係止させる斜面部が設けられていることを特徴とする。
【００１２】
請求項４の発明は、請求項１〜請求項３のいずれかに記載されたコネクタであって、前記端子変形防止部材に、ガイドリブが設けられ、前記雄コネクタに、前記ガイドリブと係合し、仮係止位置と本係止位置との間を移動する間、前記端子変形防止部材を案内し、傾斜を防止するガイド溝が設けられていることを特徴とする。
【００１３】
請求項５の発明は、請求項１〜請求項４のいずれかに記載されたコネクタであって、前記端子変形防止部材に、係止腕が設けられ、前記嵌合フード部の、前記端子変形防止部材の仮係止位置と本係止位置とにそれぞれ対応する箇所に、前記係止腕と係止する仮係止部と本係止部が設けられていることを特徴とする。
【００１４】
請求項６の発明は、請求項１〜請求項５のいずれかに記載されたコネクタであって、前記端子変形防止部材に、被ガイド部が設けられ、前記嵌合フード部に、前記被ガイド部と摺動し、仮係止位置と本係止位置とを移動する間、前記端子変形防止部材を案内し、傾斜を防止する摺動壁部が設けられていることを特徴とする。
【発明の効果】
【００１５】
請求項１のコネクタは、雌端子と雄端子とを嵌合させる際、仮係止位置（雄端子の先端部と雌端子との嵌合が開始される位置）にある端子変形防止部材の復元アームを雄コネクタの復元アーム係止突起が変位させ、復元アーム規制突起を嵌合フード部の仮係止凹部に係止させることによって端子変形防止部材が仮係止位置に保持されるから、雄端子の先端部を雌端子の中心位置に合わせて支持する端子変形防止部材の位置合わせ機能によって雌端子と雄端子との嵌合が正常に行われ、その後、復元アーム係止突起が復元アームスリットと係合した状態で、端子変形防止部材を本係止位置まで移動させる。
【００１６】
また、嵌合を解除する際は、雄コネクタを嵌合フード部の開口側へ移動操作すると、雌端子と雄端子との嵌合が解除され、さらに、復元アーム係止突起により復元アームを介して端子変形防止部材が本係止位置から仮係止位置まで移動する。仮係止位置では、復元アーム係止突起が復元アームを変位させ復元アーム規制突起を仮係止凹部に係止させることによって端子変形防止部材が嵌合フード部から抜け落ちることを防止する。
【００１７】
このように、嵌合に当たっては、端子変形防止部材によって雄端子と雌端子とを確実に位置合わせすることができ、嵌合解除に当たっては、端子変形防止部材を所定の仮係止位置に確実に復帰させ、保持することができる。
【００１８】
また、アームを３本用いる従来例と異なって、コネクタの大型化が防止されている。
【００１９】
請求項２のコネクタは、請求項１の構成と同等の効果が得られる。
【００２０】
また、端子変形防止部材が本係止位置から仮係止位置まで戻る間、嵌合フード部に設けられた復元アーム変位規制リブが復元アーム規制突起と接触して復元アームの変位及びこの変位に起因する復元アーム係止突起と復元アームスリットとの係合解除を防止し、端子変形防止部材が仮係止位置の手前に置き去りにされることを防止する。
【００２１】
従って、次回にコネクタを再嵌合させるときも、仮係止位置に保持された端子変形防止部材は、雄端子と雌端子とを確実に位置合わせし、正常に嵌合させることができる。
【００２２】
請求項３のコネクタは、請求項１または請求項２の構成と同等の効果が得られる。
【００２３】
また、復元アーム係止突起に設けた斜面部のクサビ効果により、復元アームと接触して復元アーム規制突起を仮係止凹部に係止させ、端子変形防止部材を仮係止位置に保持する機能が向上するから、雌コネクタと雄コネクタを嵌合させる際は、端子変形防止部材によって雄端子と雌端子との位置合わせが確実に行われ、嵌合を解除する際は、端子変形防止部材の嵌合フード部からの抜け落ちが確実に防止される。
【００２４】
請求項４のコネクタは、請求項１〜請求項３の構成と同等の効果が得られる。
【００２５】
また、端子変形防止部材は、ガイドリブを介し雄コネクタのガイド溝によって案内され、傾斜が防止されるから、仮係止位置と本係止位置との間を円滑に移動することができる。
【００２６】
請求項５のコネクタは、請求項１〜請求項４の構成と同等の効果が得られる。
【００２７】
また、端子変形防止部材は、係止腕が嵌合フード部の仮係止部及び本係止部と係止することによって仮係止位置と本係止位置とにそれぞれ保持される。特に、仮係止位置での保持機能によって雄端子と雌端子との位置合わせ機能が正常に保たれる。
【００２８】
また、雄コネクタと雌コネクタとを嵌合させるとき、雄コネクタの復元アーム係止突起が仮係止位置にある端子変形防止部材の復元アーム規制突起を仮係止凹部に係止させる際に、係止腕と仮係止部との係止により、端子変形防止部材が不用意に本係止位置側へ移動することが防止され、嵌合を解除するときは、係止腕と本係止部との係止によって、端子変形防止部材の嵌合フード部からの抜け落ちを防止する機能が強化される。
【００２９】
請求項６のコネクタは、請求項１〜請求項５の構成と同等の効果が得られる。
【００３０】
また、端子変形防止部材が仮係止位置と本係止位置とを移動する間、嵌合フード部の摺動壁部による被ガイド部の案内機能によって端子変形防止部材の傾斜が防止され、移動が円滑になると共に、仮係止位置で雄端子と雌端子との位置合わせ機能が正常に保たれる。
【発明を実施するための最良の形態】
【００３１】
＜一実施形態＞
図１〜図２１によってコネクタ１（本発明の一実施形態）の説明をする。図１は嵌合前の雌コネクタ３と雄コネクタ５を示す斜視図、図２は雌コネクタ３を構成するコネクタ本体７及び端子変形防止部材１１の斜視図、図３は端子変形防止部材１１を図２の反対側から視た斜視図、図４は雌コネクタ３と端子変形防止部材１１をそれぞれの一部を切り欠いて示す斜視図、図５は雌コネクタ３及びその仮係止位置に保持された端子変形防止部材１１の一部を切り欠いて示す斜視図、図６は端子変形防止部材１１が仮係止位置に移動した状態での復元アーム１３と仮係止凹部１９とを示す斜視図、図７は雌コネクタ３及びその本係止位置に保持された端子変形防止部材１１の一部を切り欠いて示す斜視図、図８は嵌合前の雌コネクタ３と雄コネクタ５を示す断面図、図９は雌コネクタ３の嵌合フード部９に挿入された雄コネクタ５の復元アーム係止突起２１が復元アーム１３の押圧を開始した状態を示す断面図、図１０は復元アーム係止突起２１が復元アーム１３を押圧し復元アーム規制突起１５を仮係止凹部１９に係止させた状態を示す断面図、図１１は図１０の状態を示す斜視図、図１２は図１０及び図１１の状態にある雌コネクタ３と端子変形防止部材１１と雄コネクタ５の一部を切り欠いて示す斜視図、図１３は復元アーム係止突起２１が復元アーム１３の復元アーム規制突起１５を仮係止凹部１９に係止させた後、復元アームスリット１７と係合する状態を示す断面図、図１４は雄コネクタ３が端子変形防止部材１１と接触し、雄端子６と雌端子の嵌合が開始された状態を示す断面図、図１５は雄コネクタ３が端子変形防止部材１１を本係止位置側へ押圧しながら、雄端子６と雌端子の嵌合を進める状態を示す断面図、図１６は端子変形防止部材１１の本係止位置への移動及び雄端子６と雌端子の嵌合が完了した状態を示す断面図、図１７は雌コネクタ３と雄コネクタ５の嵌合解除が開始され、復元アーム係止突起２１と復元アームスリット１７との係合により雄コネクタ５が端子変形防止部材１１を本係止位置側へ移動させている状態を示す断面図、図１８は端子変形防止部材１１が仮係止位置の手前まで戻った状態を示す断面図、図１９は端子変形防止部材１１が仮係止位置まで戻り、復元アーム係止突起２１が復元アーム１３の押圧を開始した状態を示す断面図、図２０は復元アーム係止突起２１が復元アーム１３を押圧し復元アーム規制突起１５を仮係止凹部１９に係止させた状態を示す断面図、図２１は端子変形防止部材１１が仮係止凹部１９との係止によって仮係止位置に保持されると共に、復元アーム係止突起２１と復元アームスリット１７との係合が解除されて雄コネクタ５が嵌合フード部９の開口側へ移動した状態を示す断面図である。
【００３２】
コネクタ１は、雄端子６を収容するコネクタ本体７と雄端子６の先端部が突出する嵌合フード部９とが一体形成された雌コネクタ３と、雌端子を収容すると共に、嵌合フード部９内に挿入可能な雄コネクタ５と、嵌合フード部９の内部で、雄端子６の先端部を雌端子との中心位置に合わせて支持する仮係止位置と、雄端子６と雌端子との嵌合が完了する本係止位置との間を移動可能な端子変形防止部材１１とを備えている。
【００３３】
端子変形防止部材１１には嵌合フード部９の内壁側に変位可能な可撓性の復元アーム１３が４本設けられており、各復元アーム１３には復元アーム規制突起１５と復元アームスリット１７とが設けられている。また、嵌合フード部９の内壁には、端子変形防止部材１１が仮係止位置にあるとき、復元アーム規制突起１５を退避させて復元アーム１３の変位を可能にすると共に、復元アーム規制突起１５と係止して端子変形防止部材１１の移動と、嵌合フード部９からの抜け落ちを防止する仮係止凹部１９が設けられている。
【００３４】
雄コネクタ５には、復元アーム１３を押圧して復元アーム規制突起１５を仮係止凹部１９に退避させると共に、復元アーム１３の復元アームスリット１７と係合する復元アーム係止突起２１が設けられている。
【００３５】
雌端子と雄端子６とを嵌合させる際は、嵌合フード部９に挿入された雄コネクタ５が、仮係止位置にある端子変形防止部材１１の復元アーム１３を復元アーム係止突起２１で押圧し変位させることによって復元アーム規制突起１５を仮係止凹部１９に係止させ、さらに、復元アーム係止突起２１が復元アームスリット１７と係合し、その状態で端子変形防止部材１１を押圧しながら雌端子と雄端子６の嵌合を開始した後、端子変形防止部材１１を本係止位置まで移動させ、雌端子と雄端子６の嵌合を完了させる。
【００３６】
また、雌端子と雄端子６との嵌合を解除する際は、嵌合フード部９の開口側へ移動操作された雄コネクタ５が、雌端子と雄端子６との嵌合を解除しながら、復元アーム係止突起２１により復元アーム１３を介して端子変形防止部材１１を本係止位置から仮係止位置まで移動させ、仮係止位置では、復元アーム係止突起２１が復元アーム規制突起１５を仮係止凹部１９に係止させることにより、端子変形防止部材１１を仮係止位置に保持し、嵌合フード部９からの抜け落ちを防止する。
【００３７】
また、嵌合フード部９には、雄コネクタ５を介して端子変形防止部材１１が本係止位置から仮係止位置まで戻る間、復元アーム規制突起１５と接触することによって復元アーム１３の変位を防止し、この変位による復元アーム係止突起２１と復元アームスリット１７との係合解除と、この係合解除によって端子変形防止部材１１が仮係止位置の手前（中間位置）に置き去りにされること防止する復元アーム変位規制リブ２３が設けられている。
【００３８】
また、復元アーム係止突起２１には、仮係止位置において端子変形防止部材１１の復元アーム１３と接触することにより、復元アーム規制突起１５を仮係止凹部１９へ退避させ、係止する斜面部２５，２５が設けられている。
【００３９】
また、端子変形防止部材１１にはガイドリブ２７，２７が設けられ、雄コネクタ５には各ガイドリブ２７と係合するガイド溝２９，２９が設けられており、雄コネクタ５はガイド溝２９を摺動するガイドリブ２７を介して端子変形防止部材１１を案内し、仮係止位置と本係止位置とを移動する間、端子変形防止部材１１の傾斜を防止する。
【００４０】
また、図４のように、端子変形防止部材１１には、係止腕３１，３１が設けられており、嵌合フード部９には、仮係止位置（図５）と本係止位置（図７）とにそれぞれ対応する箇所に、各係止腕３１と係止する仮係止部３３と本係止部３５とが設けられている。
【００４１】
また、端子変形防止部材１１に被ガイド部３７が一対設けられており、嵌合フード部９には、各被ガイド部３７と摺動することにより、仮係止位置と本係止位置の間を移動する端子変形防止部材１１を案内し、傾斜を防止する摺動壁部３９が設けられている。
【００４２】
次に、コネクタ１の構成と嵌合及び嵌合解除について説明する。
【００４３】
雌コネクタ３（嵌合フード部９）には係合溝４１，４１が設けられ、雄コネクタ５には、嵌合フード部９に挿入されたとき、各係合溝４１と係合する突起４３，４３が設けられており、係合溝４１は突起４３と係合することにより、嵌合時の各コネクタ３，５の位置決めをすると共に、雄端子６と雌端子との嵌合が終了したとき、突起４３が係合溝４１の最奥部４５と突き当たることによって雄コネクタ５の移動を停止させ、端子変形防止部材１１を不必要に押圧しないようになっている。
【００４４】
雌端子は雄コネクタ５の端子収容室４７に収容されており、各雄端子６はコネクタ本体７（雌コネクタ３）の端子収容室４９に収容されている。また、図８のように、雄コネクタ５と雌コネクタ３（雌端子と雄端子６）とを嵌合させる前、端子変形防止部材１１は嵌合フード部９の仮係止位置にあって雄端子６の先端部を支持し、雌端子に対する位置合わせをしている。
【００４５】
雌端子を雄端子６と嵌合させるときは、図９のように、雄コネクタ５を雌コネクタ３の嵌合フード部９に挿入すると、復元アーム係止突起２１が復元アーム１３の押圧を開始する。次いで、雄コネクタ５をさらに押し込むと、図１０と図１１と図１２のように、復元アーム係止突起２１の斜面部２５が復元アーム１３を押圧して復元アーム規制突起１５を仮係止凹部１９に係止させ、図１３のように、復元アーム係止突起２１が復元アームスリット１７と係合し、図１４のように、雄端子６と雌端子の嵌合を開始しながら雄コネクタ５が端子変形防止部材１１と接触し、図１５と図１６のように、端子変形防止部材１１を仮係止位置から本係止位置へ押圧しながら、雄端子６と雌端子の嵌合を完了させる。
【００４６】
この嵌合工程において、仮係止位置では、端子変形防止部材１１の係止腕３１が嵌合フード部９の仮係止部３３と係止して仮係止位置に保持され、雄端子６と雌端子との位置合わせ機能をさらに向上させる。また、雄コネクタ５の復元アーム係止突起２１が復元アーム規制突起１５を仮係止凹部１９に係止させる際に、係止腕３１と仮係止部３３との係止によって、端子変形防止部材１１が本係止位置側へ移動することを防止する。
【００４７】
また、移動中の端子変形防止部材１１は、ガイドリブ２７とガイド溝２９（雄コネクタ５）との係合及び被ガイド部３７と摺動壁部３９（嵌合フード部９）との摺動によって案内され、傾斜が防止されて円滑に移動する。
【００４８】
また、雌端子と雄端子６との嵌合を解除するときは、図１７のように、嵌合フード部９の開口側に移動操作された雄コネクタ５が、雄端子６と雌端子の嵌合を解除しながら、復元アーム係止突起２１を復元アーム１３に接触させ、端子変形防止部材１１の本係止位置側への移動を開始させる。次いで、雄コネクタ５をさらに引き出すと、端子変形防止部材１１の係止腕３１と嵌合フード部９の本係止部３５との係止が解除され、図１８のように、端子変形防止部材１１が仮係止位置の手前まで移動し、図１９のように、端子変形防止部材１１が仮係止位置まで移動して復元アーム係止突起２１が復元アーム１３の押圧を開始し、さらに、図２０のように、復元アーム係止突起２１の斜面部２５が復元アーム１３を変位させながら復元アーム規制突起１５を仮係止凹部１９に係止させ、図２１のように、図２０での復元アーム１３の変位によって、復元アーム係止突起２１と復元アーム１３との係止が解除され、雄コネクタ５は端子変形防止部材１１を仮係止位置に残し、単独で嵌合フード部９の開口側へ移動して抜き取る用意が整う。
【００４９】
この嵌合解除工程において、嵌合工程と同様に、端子変形防止部材１１は、ガイドリブ２７とガイド溝２９との係合及び被ガイド部３７と摺動壁部３９との摺動によって案内され、傾斜が防止されて円滑に移動する。
【００５０】
コネクタ１は次のような効果が得られる。
【００５１】
雌端子と雄端子６とを嵌合させる際、仮係止位置にある端子変形防止部材１１の復元アーム１３を雄コネクタ５の復元アーム係止突起２１が変位させ、復元アーム規制突起１５を嵌合フード部９の仮係止凹部１９に係止させることによって端子変形防止部材１１が仮係止位置に保持されるから、雄端子６の先端部を雌端子の中心位置に合わせて支持する端子変形防止部材１１の位置合わせ機能により、雌端子と雄端子６との嵌合が正常に行われる。
【００５２】
また、嵌合を解除する際は、雄コネクタ５を引き出すと、端子変形防止部材１１が仮係止位置まで移動し、復元アーム係止突起２１が復元アーム規制突起１５を仮係止凹部１９に係止させることによって端子変形防止部材１１が嵌合フード部９から抜け落ちることが防止される。
【００５３】
このように、嵌合に当たっては端子変形防止部材１１によって雄端子６と雌端子とを確実に位置合わせすることができ、嵌合解除に当たっては端子変形防止部材１１を所定の仮係止位置に確実に復帰させ、保持することができる。
【００５４】
また、端子変形防止部材１１が本係止位置から仮係止位置まで戻る間、嵌合フード部９に設けられた復元アーム変位規制リブ２３が復元アーム規制突起１５と接触して復元アーム１３の変位と、この変位による復元アーム係止突起２１と復元アームスリット１７との係合解除を防止し、端子変形防止部材１１が仮係止位置の手前に置き去りにされることを防止する。
【００５５】
従って、次回に雌コネクタ３と雄コネクタ５とを再嵌合させるときも、仮係止位置に保持された端子変形防止部材１１は、雄端子６と雌端子とを確実に位置合わせし、正常に嵌合させることができる。
【００５６】
また、復元アーム係止突起２１に設けた斜面部２５，２５のクサビ効果により、復元アーム１３と接触して復元アーム規制突起１５を仮係止凹部１９に係止させ、端子変形防止部材１１を仮係止位置に保持する機能が向上するから、雌コネクタ３と雄コネクタ５を嵌合させる際は、端子変形防止部材１１による雄端子６と雌端子との位置合わせが確実に行われ、嵌合を解除する際は、端子変形防止部材１１の嵌合フード部９からの抜け落ちが確実に防止される。
【００５７】
また、端子変形防止部材１１は、ガイドリブ２７，２７を介し雄コネクタ５のガイド溝２９，２９によって案内され、傾斜が防止されるから、仮係止位置と本係止位置との間を円滑に移動することができる。
【００５８】
また、端子変形防止部材１１は、係止腕３１が嵌合フード部９の仮係止部３３及び本係止部３５と係止することによって仮係止位置と本係止位置とにそれぞれ保持され、特に、仮係止位置での保持機能によって雄端子６と雌端子との位置合わせ機能が正常に保たれる。
【００５９】
また、雄コネクタ５と雌コネクタ３とを嵌合させるとき、雄コネクタ５の復元アーム係止突起２１が仮係止位置にある端子変形防止部材１１の復元アーム規制突起１５を仮係止凹部１９に係止させる際に、係止腕３１と仮係止部３３との係止によって、端子変形防止部材１１が不用意に本係止位置側へ移動することを防止する機能が強化され、嵌合を解除するときは、係止腕３１と本係止部３５との係止によって、端子変形防止部材１１の嵌合フード部９からの抜け落ちを防止する機能が強化される。
【００６０】
また、端子変形防止部材１１が仮係止位置と本係止位置とを移動する間、摺動壁部３９による被ガイド部３７の案内機能によって端子変形防止部材１１の傾斜が防止され、移動が円滑になると共に、仮係止位置での雄端子６と雌端子との位置合わせ機能が正常に保たれる。
【００６１】
また、アームを３本用いる従来例と異なって、コネクタの大型化が防止される。
【００６２】
［本発明の範囲に含まれる他の態様］
【図面の簡単な説明】
【００６３】
【図１】嵌合前の雌コネクタ３と雄コネクタ５を示す斜視図である。
【図２】雌コネクタ３を構成するコネクタ本体７及び端子変形防止部材１１の斜視図である。
【図３】端子変形防止部材１１を図２の反対側から視た斜視図である。
【図４】雌コネクタ３と端子変形防止部材１１をそれぞれの一部を切り欠いて示す斜視図である。
【図５】雌コネクタ３及びその仮係止位置に保持された端子変形防止部材１１の一部を切り欠いて示す斜視図である。
【図６】端子変形防止部材１１が仮係止位置に移動した状態での復元アーム１３と仮係止凹部１９とを示す斜視図である。
【図７】雌コネクタ３及びその本係止位置に保持された端子変形防止部材１１の一部を切り欠いて示す斜視図である。
【図８】嵌合前の雌コネクタ３と雄コネクタ５を示す断面図である。
【図９】雌コネクタ３の嵌合フード部９に挿入された雄コネクタ５の復元アーム係止突起２１が復元アーム１３の押圧を開始した状態を示す断面図である。
【図１０】復元アーム係止突起２１が復元アーム１３を押圧し復元アーム規制突起１５を仮係止凹部１９に係止させた状態を示す断面図である。
【図１１】図１０の状態を示す斜視図である。
【図１２】図１０及び図１１の状態にある雌コネクタ３と端子変形防止部材１１と雄コネクタ５の一部を切り欠いて示す斜視図である。
【図１３】復元アーム係止突起２１が復元アーム１３の復元アーム規制突起１５を仮係止凹部１９に係止させた後、復元アームスリット１７と係合する状態を示す断面図である。
【図１４】雄コネクタ３が端子変形防止部材１１と接触し、雄端子６と雌端子の嵌合が開始された状態を示す断面図である。
【図１５】雄コネクタ３が端子変形防止部材１１を本係止位置側へ押圧しながら、雄端子６と雌端子の嵌合を進める状態を示す断面図である。
【図１６】端子変形防止部材１１の本係止位置への移動及び雄端子６と雌端子の嵌合が完了した状態を示す断面図である。
【図１７】雌コネクタ３と雄コネクタ５の嵌合解除が開始され、復元アーム係止突起２１と復元アームスリット１７との係合により雄コネクタ５が端子変形防止部材１１を本係止位置側へ移動させている状態を示す断面図である。
【図１８】端子変形防止部材１１が仮係止位置の手前まで戻った状態を示す断面図である。
【図１９】端子変形防止部材１１が仮係止位置まで戻り、復元アーム係止突起２１が復元アーム１３の押圧を開始した状態を示す断面図である。
【図２０】復元アーム係止突起２１が復元アーム１３を押圧し復元アーム規制突起１５を仮係止凹部１９に係止させた状態を示す断面図である。
【図２１】端子変形防止部材１１が仮係止凹部１９との係止によって仮係止位置に保持されると共に、復元アーム係止突起２１と復元アームスリット１７との係合が解除されて雄コネクタ５が嵌合フード部９の開口側へ移動した状態を示す断面図である。
【図２２】従来例の雄端子側コネクタを示す分解斜視図である。
【図２３】上記雄端子側コネクタの一部を構成する部材の斜視図である。
【図２４】従来例の雌端子側コネクタを示す分解斜視図である。
【符号の説明】
【００６４】
１  コネクタ
３  雌コネクタ
５  雄コネクタ
６  雄端子
７  コネクタ本体
９  嵌合フード部
１１  端子変形防止部材
１３  復元アーム
１５  復元アーム規制突起
１７  復元アームスリット
１９  仮係止凹部
２１  復元アーム係止突起
２３  復元アーム変位規制リブ
２５  斜面部
２７  ガイドリブ
２９  ガイド溝
３１  係止腕
３３  仮係止部
３５  本係止部
３７  被ガイド部
３９  摺動壁部
【図１】
2010097911.tif 000003
【図２】
2010097911.tif 000004
【図３】
2010097911.tif 000005
【図４】
2010097911.tif 000006
【図５】
2010097911.tif 000007
【図６】
2010097911.tif 000008
【図７】
2010097911.tif 000009
【図８】
2010097911.tif 000010
【図９】
2010097911.tif 000011
【図１０】
2010097911.tif 000012
【図１１】
2010097911.tif 000013
【図１２】
2010097911.tif 000014
【図１３】
2010097911.tif 000015
【図１４】
2010097911.tif 000016
【図１５】
2010097911.tif 000017
【図１６】
2010097911.tif 000018
【図１７】
2010097911.tif 000019
【図１８】
2010097911.tif 000020
【図１９】
2010097911.tif 000021
【図２０】
2010097911.tif 000022
【図２１】
2010097911.tif 000023
【図２２】
2010097911.tif 000024
【図２３】
2010097911.tif 000025
【図２４】
2010097911.tif 000026